(57)【要約】      （修正有）【課題】毛筆を使用した後、次回の使用に影響させないために水分を取り除くことが可能な保護機能を持つ筆掛けを提供する。【解決手段】スタンド１１を含み、スタンド１１の中には上方に開口した水受け溝１２が設けられ、スタンド１１の上側端面には水受け溝１２の左端に位置している立ち柱２０が設けられ、立ち柱２０のもう一端には水受け溝１２の上端に位置している六角盤２５が固定的に連結され、六角盤２５の下側端面には連結装置９０１が設けられ、水受け溝１２の上端には連結装置９０１の下端に位置している振り箱１５が設けられ、本発明は重力分布の点の回転変化により設備全体を回転させ、毛先を円周に回転させ、水分を取り除く。【選択図】図１
2020179651.tif 000002
【特許請求の範囲】
【請求項１】
スタンドを含み、前記スタンドの中には上方に開口した水受け溝が設けられ、前記スタンドの上側端面には前記水受け溝の左端に位置している立ち柱が設けられ、前記立ち柱のもう一端には前記水受け溝の上端に位置している六角盤が固定的に連結され、前記六角盤の下側端面には連結装置が設けられ、前記水受け溝の上端には前記連結装置の下端に位置している振り箱が設けられ、前記振り箱の上側端面には中心対称している六つの下玉軸受が設けられ、且つ前記連結装置とスライドできるように連結され、前記振り箱の中には伝動チャンバが設けられ、前記伝動チャンバの中には重力変化により回転する装置が設けられ、前記伝動チャンバの内壁には環状の回転溝が連通するように設けられ、前記回転溝の中には接合装置が設けられ、前記振り箱の下端にはキャッチ箱が設けられ、前記キャッチ箱の中には下方に開口した挟みチャンバが設けられ、前記挟みチャンバの中には前記接合装置を制御する挟み装置が設けられ、
毛筆が前記挟み装置により設備に固定された時、毛筆の重さにより前記挟み装置を下に移動連動させ、これにより前記接合装置を回転させ、これにより前記重力変化により回転する装置が作動できて前記連結装置の連結により回転し、毛筆を回転させ、毛筆が乾燥になるまで水を前記水受け溝の中に振ることを特徴とする保護機能を持つ筆掛け。
【請求項２】
前記連結装置は前記六角盤の下側端面に固定的に連結された中心対称している六つの上玉軸受を含み、前記上玉軸受にはボールがスライドできるように連結され、前記ボールには液圧ロッドが固定的に連結され、前記液圧ロッドには下方に開口した液圧チャンバが設けられ、前記液圧チャンバの中にはスライドロッドがスライドできるように連結され、前記スライドロッドの下端には前記下玉軸受とスライドできるように連結された円球が設けられ、
前記スライドロッドが前記液圧チャンバの中でスライドすることができ、且つ液圧の作用により復帰することができ、設備の運動要求を満足することを特徴とする請求項１に記載の保護機能を持つ筆掛け。
【請求項３】
前記接合装置は前記回転溝と回転できるように連結され、且つ中心対称している四つの固定軸を含み、前記固定軸には支持板が設けられ、前記支持板のうち反時計回り側と前記回転溝の内壁との間には復帰バネが連結され、前記支持板にはスライド溝が設けられ、前記スライド溝には扇形板がスライドできるように連結され、前記扇形板と前記支持板との間には伸びバネが連結され、前記扇形板には開口溝が設けられ、前記開口溝には回転板がスライドできるように連結され、前記回転板と前記扇形板との間には引っ張りバネが連結され、前記伝動チャンバの底端内壁には昇降台が設けられ、前記昇降台の上端には重力ボールが設けられ、前記昇降台には中心対称している四つの凹溝が設けられ、前記凹溝の中には前記回転板と固定的に連結された回転軸が回転できるように連結され、左右両側の前記固定軸には前記支持板の時計回り側に位置している鎖歯車が設けられ、前記鎖歯車には前記キャッチ箱と固定的に連結されたチェーンが設けられ、
前記キャッチ箱が毛筆を掛けた後、前記支持板と、前記扇形板と、前記昇降台との間には同じ高さの平面が形成され、また四つの前記扇形板の間には完全な環状板を形成され、前記重力ボールを前記回しロッドと当接するまで上昇させることを特徴とする請求項１に記載の保護機能を持つ筆掛け。
【請求項４】
前記重力変化により回転する装置は前記伝動チャンバの頂端内壁の中に設けられたモーターを含み、前記モーターの下端には伝動軸が動力が伝達できるように連結され、前記伝動軸の下端末端には回転盤が設けられ、前記回転盤の下端には前記回しロッドが設けられ、
前記モーターを始動させ、前記伝動軸により前記回転盤を回転させ、前記回しロッドを回転連動させ、遠心力により、前記重力ボールを回しサイドに移動させ、重量の変化を生むことを特徴とする請求項１または請求項３に記載の保護機能を持つ筆掛け。
【請求項５】
前記挟み装置は前記挟みチャンバの頂端内壁と回転できるように連結された駆動軸を含み、前記駆動軸には前記挟みチャンバの外側まで伸びている回しボタンが設けられ、前記回しボタンの上端と前記挟みチャンバの頂端内壁との間にはトーションバネが連結され、前記挟みチャンバには前記回しボタンの下側に位置している連結ロッドが回転できるように連結され、且つ前記連結ロッドが前記挟みチャンバの内壁と固定的に連結され、前記駆動軸には前記連結ロッドの下端に位置しているカムが設けられ、前記挟みチャンバの内壁には前記カムと当接しており、且つ左右に対称する当接爪がスライドできるように連結され、前記当接爪と前記挟みチャンバとの間には抵抗バネが連結され、
毛筆が前記挟みチャンバの中に挿入され、前記回しボタンを九十度に回し、前記駆動軸により前記カムを回転させ、前記カムの直径の長さの変化により、前記当接爪を前記抵抗バネの弾性復帰のもとで移動させ、筆軸をきつく挟むことを特徴とする請求項１に記載の保護機能を持つ筆掛け。
【発明の詳細な説明】
【技術分野】
【０００１】
本発明は文房具用品分野を取り上げて、具体的には保護機能を持つ筆掛けである。
【背景技術】
【０００２】
毛筆を使用した後、次回の使用に影響させないために水分を取り除く必要があり、伝統的な処理方法は手動で振った後に筆キャップをかぶせることであり、この方法は毛先が割れる現象を起こし、毛筆の使用寿命に影響する。また、ほとんどの筆掛けがロッド型フックであり、毛筆を処理する機能を持っていなく、本発明の装置は上記の問題を解決できる。
【先行技術文献】
【特許文献】
【０００３】
【特許文献１】中国特許出願公開第１０７３６４２６５号明細書
【発明の概要】
【発明が解決しようとする課題】
【０００４】
本発明の目的は保護機能を持つ筆掛けを提供し、それは上記の現在の技術中の問題を解決できる。
【課題を解決するための手段】
【０００５】
本発明の保護機能を持つ筆掛けは、スタンドを含み、前記スタンドの中には上方に開口した水受け溝が設けられ、前記スタンドの上側端面には前記水受け溝の左端に位置している立ち柱が設けられ、前記立ち柱のもう一端には前記水受け溝の上端に位置している六角盤が固定的に連結され、前記六角盤の下側端面には連結装置が設けられ、前記水受け溝の上端には前記連結装置の下端に位置している振り箱が設けられ、前記振り箱の上側端面には中心対称している六つの下玉軸受が設けられ、且つ前記連結装置とスライドできるように連結され、前記振り箱の中には伝動チャンバが設けられ、前記伝動チャンバの中には重力変化により回転する装置が設けられ、前記伝動チャンバの内壁には環状の回転溝が連通するように設けられ、前記回転溝の中には接合装置が設けられ、前記振り箱の下端にはキャッチ箱が設けられ、前記キャッチ箱の中には下方に開口した挟みチャンバが設けられ、前記挟みチャンバの中には前記接合装置を制御する挟み装置が設けられ、
毛筆が前記挟み装置により設備に固定された時、毛筆の重さにより前記挟み装置を下に移動連動させ、これにより前記接合装置を回転させ、これにより前記重力変化により回転する装置が作動できて前記連結装置の連結により回転し、毛筆を回転させ、毛筆が乾燥になるまで水を前記水受け溝の中に振る。
【０００６】
優選の技術プランとして、前記連結装置は前記六角盤の下側端面に固定的に連結された中心対称している六つの上玉軸受を含み、前記上玉軸受にはボールがスライドできるように連結され、前記ボールには液圧ロッドが固定的に連結され、前記液圧ロッドには下方に開口した液圧チャンバが設けられ、前記液圧チャンバの中にはスライドロッドがスライドできるように連結され、前記スライドロッドの下端には前記下玉軸受とスライドできるように連結された円球が設けられ、
前記スライドロッドが前記液圧チャンバの中でスライドすることができ、且つ液圧の作用により復帰することができ、設備の運動要求を満足する。
【０００７】
優選の技術プランとして、前記接合装置は前記回転溝と回転できるように連結され、且つ中心対称している四つの固定軸を含み、前記固定軸には支持板が設けられ、前記支持板のうち反時計回り側と前記回転溝の内壁との間には復帰バネが連結され、前記支持板にはスライド溝が設けられ、前記スライド溝には扇形板がスライドできるように連結され、前記扇形板と前記支持板との間には伸びバネが連結され、前記扇形板には開口溝が設けられ、前記開口溝には回転板がスライドできるように連結され、前記回転板と前記扇形板との間には引っ張りバネが連結され、前記伝動チャンバの底端内壁には昇降台が設けられ、前記昇降台の上端には重力ボールが設けられ、前記昇降台には中心対称している四つの凹溝が設けられ、前記凹溝の中には前記回転板と固定的に連結された回転軸が回転できるように連結され、左右両側の前記固定軸には前記支持板の時計回り側に位置している鎖歯車が設けられ、前記鎖歯車には前記キャッチ箱と固定的に連結されたチェーンが設けられ、
前記キャッチ箱が毛筆を掛けた後、前記支持板と、前記扇形板と、前記昇降台との間には同じ高さの平面が形成され、また四つの前記扇形板の間には完全な環状板を形成され、前記重力ボールを前記回しロッドと当接するまで上昇させる。
【０００８】
優選の技術プランとして、前記重力変化により回転する装置は前記伝動チャンバの頂端内壁の中に設けられたモーターを含み、前記モーターの下端には伝動軸が動力が伝達できるように連結され、前記伝動軸の下端末端には回転盤が設けられ、前記回転盤の下端には前記回しロッドが設けられ、
前記モーターを始動させ、前記伝動軸により前記回転盤を回転させ、前記回しロッドを回転連動させ、遠心力により、前記重力ボールを回しサイドに移動させ、重量の変化を生む。
【０００９】
優選の技術プランとして、前記挟み装置は前記挟みチャンバの頂端内壁と回転できるように連結された駆動軸を含み、前記駆動軸には前記挟みチャンバの外側まで伸びている回しボタンが設けられ、前記回しボタンの上端と前記挟みチャンバの頂端内壁との間にはトーションバネが連結され、前記挟みチャンバには前記回しボタンの下側に位置している連結ロッドが回転できるように連結され、且つ前記連結ロッドが前記挟みチャンバの内壁と固定的に連結され、前記駆動軸には前記連結ロッドの下端に位置しているカムが設けられ、前記挟みチャンバの内壁には前記カムと当接しており、且つ左右に対称する当接爪がスライドできるように連結され、前記当接爪と前記挟みチャンバとの間には抵抗バネが連結され、
毛筆が前記挟みチャンバの中に挿入され、前記回しボタンを九十度に回し、前記駆動軸により前記カムを回転させ、前記カムの直径の長さの変化により、前記当接爪を前記抵抗バネの弾性復帰のもとで移動させ、筆軸をきつく挟む。
【発明の効果】
【００１０】
本発明は重力分布の点の回転変化により設備全体を回転させ、毛先を円周に回転させ、水分を取り除き、毛筆が重力のもとで下に垂れ、毛先が折れて壊れることを防止し、更に、本設備は毛筆の有無によって作動し設備の誤操作を防止する。
【図面の簡単な説明】
【００１１】
説明しやすいため、本発明は以下の具体的な実施例と付図を交え詳しく説明する。
【００１２】
【図１】図１は本発明の保護機能を持つ筆掛けの全体構成略図
【図２】図２は図１のＡ−Ａの構成略図
【図３】図３は図１のＢ−Ｂの構成略図
【図４】図４は図１のＣ−Ｃの構成略図
【発明を実施するための形態】
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
本発明の保護機能を持つ筆掛けは、スタンド１１を含み、前記スタンド１１の中には上方に開口した水受け溝１２が設けられ、前記スタンド１１の上側端面には前記水受け溝１２の左端に位置している立ち柱２０が設けられ、前記立ち柱２０のもう一端には前記水受け溝１２の上端に位置している六角盤２５が固定的に連結され、前記六角盤２５の下側端面には連結装置９０１が設けられ、前記水受け溝１２の上端には前記連結装置９０１の下端に位置している振り箱１５が設けられ、前記振り箱１５の上側端面には中心対称している六つの下玉軸受１７が設けられ、且つ前記連結装置９０１とスライドできるように連結され、前記振り箱１５の中には伝動チャンバ２７が設けられ、前記伝動チャンバ２７の中には重力変化により回転する装置９０２が設けられ、前記伝動チャンバ２７の内壁には環状の回転溝４０が連通するように設けられ、前記回転溝４０の中には接合装置９０３が設けられ、前記振り箱１５の下端にはキャッチ箱３１が設けられ、前記キャッチ箱３１の中には下方に開口した挟みチャンバ３９が設けられ、前記挟みチャンバ３９の中には前記接合装置９０３を制御する挟み装置９０４が設けられ、
毛筆が前記挟み装置９０４により設備に固定された時、毛筆の重さにより前記挟み装置９０４を下に移動連動させ、これにより前記接合装置９０３を回転させ、これにより前記重力変化により回転する装置９０２が作動できて前記連結装置９０１の連結により回転し、毛筆を回転させ、毛筆が乾燥になるまで水を前記水受け溝１２の中に振る。
【００１５】
有益的には、前記連結装置９０１は前記六角盤２５の下側端面に固定的に連結された中心対称している六つの上玉軸受２４を含み、前記上玉軸受２４にはボール２３がスライドできるように連結され、前記ボール２３には液圧ロッド２２が固定的に連結され、前記液圧ロッド２２には下方に開口した液圧チャンバ２１が設けられ、前記液圧チャンバ２１の中にはスライドロッド１９がスライドできるように連結され、前記スライドロッド１９の下端には前記下玉軸受１７とスライドできるように連結された円球１８が設けられ、
前記スライドロッド１９が前記液圧チャンバ２１の中でスライドすることができ、且つ液圧の作用により復帰することができ、設備の運動要求を満足する。
【００１６】
有益的には、前記接合装置９０３は前記回転溝４０と回転できるように連結され、且つ中心対称している四つの固定軸４８を含み、前記固定軸４８には支持板４５が設けられ、前記支持板４５のうち反時計回り側と前記回転溝４０の内壁との間には復帰バネ４４が連結され、前記支持板４５にはスライド溝４７が設けられ、前記スライド溝４７には扇形板４２がスライドできるように連結され、前記扇形板４２と前記支持板４５との間には伸びバネ４６が連結され、前記扇形板４２には開口溝４３が設けられ、前記開口溝４３には回転板５０がスライドできるように連結され、前記回転板５０と前記扇形板４２との間には引っ張りバネ４９が連結され、前記伝動チャンバ２７の底端内壁には昇降台３０が設けられ、前記昇降台３０の上端には重力ボール２８が設けられ、前記昇降台３０には中心対称している四つの凹溝５２が設けられ、前記凹溝５２の中には前記回転板５０と固定的に連結された回転軸５１が回転できるように連結され、左右両側の前記固定軸４８には前記支持板４５の時計回り側に位置している鎖歯車４１が設けられ、前記鎖歯車４１には前記キャッチ箱３１と固定的に連結されたチェーン２９が設けられ、
前記キャッチ箱３１が毛筆を掛けた後、前記支持板４５と、前記扇形板４２と、前記昇降台３０との間には同じ高さの平面が形成され、また四つの前記扇形板４２の間には完全な環状板を形成され、前記重力ボール２８を前記回しロッド１３と当接するまで上昇させる。
【００１７】
有益的には、前記重力変化により回転する装置９０２は前記伝動チャンバ２７の頂端内壁の中に設けられたモーター２６を含み、前記モーター２６の下端には伝動軸１６が動力が伝達できるように連結され、前記伝動軸１６の下端末端には回転盤１４が設けられ、前記回転盤１４の下端には前記回しロッド１３が設けられ、
前記モーター２６を始動させ、前記伝動軸１６により前記回転盤１４を回転させ、前記回しロッド１３を回転連動させ、遠心力により、前記重力ボール２８を回しサイドに移動させ、重量の変化を生む。
【００１８】
有益的には、前記挟み装置９０４は前記挟みチャンバ３９の頂端内壁と回転できるように連結された駆動軸３４を含み、前記駆動軸３４には前記挟みチャンバ３９の外側まで伸びている回しボタン３２が設けられ、前記回しボタン３２の上端と前記挟みチャンバ３９の頂端内壁との間にはトーションバネ３８が連結され、前記挟みチャンバ３９には前記回しボタン３２の下側に位置している連結ロッド３３が回転できるように連結され、且つ前記連結ロッド３３が前記挟みチャンバ３９の内壁と固定的に連結され、前記駆動軸３４には前記連結ロッド３３の下端に位置しているカム３５が設けられ、前記挟みチャンバ３９の内壁には前記カム３５と当接しており、且つ左右に対称する当接爪３６がスライドできるように連結され、前記当接爪３６と前記挟みチャンバ３９との間には抵抗バネ３７が連結され、
毛筆が前記挟みチャンバ３９の中に挿入され、前記回しボタン３２を九十度に回し、前記駆動軸３４により前記カム３５を回転させ、前記カム３５の直径の長さの変化により、前記当接爪３６を前記抵抗バネ３７の弾性復帰のもとで移動させ、筆軸をきつく挟む。
【００１９】
使用する時、毛筆を挟みチャンバ３９の中に挿入し、回しボタン３２を九十度に回し、駆動軸３４によりカム３５を回転させ、カム３５の直径の長さの変化により、当接爪３６を抵抗バネ３７の弾性復帰のもとで対称中心の側に移動させ、筆軸をきつく挟み、このとき毛筆の重さにより、キャッチ箱３１を下に移動連動させ、キャッチ箱３１がチェーン２９により左右両側の鎖歯車４１を引き動かして回転させ、また固定軸４８により支持板４５を回転させ、支持板４５が順次に扇形板４２と回転板５０とを上に反転連動させ、且つ扇形板４２と回転板５０とをスライド溝４７と、開口溝４３と、凹溝５２との中にスライドさせ、昇降台３０を引き動かして上に移動させ、重力ボール２８と回しロッド１３とを当接させ、最終的に支持板４５と、扇形板４２と、回転板５０と、昇降台３０との間に同じ高さの平面を形成させ、モーター２６が起動され伝動軸１６により回転盤１４を回転させ、回しロッド１３を回転連動させ、遠心力により、重力ボール２８を回しサイドに移動させ、重量の変化を生み、これにより振り箱１５を円周に回転運動させ、水を水受け溝１２の中に振って集め、乾燥する速度を向上し、また毛先が自然に下に垂れ、毛先が割れる問題を防止する。
【００２０】
本発明の有益効果は：本発明は重力分布の点の回転変化により設備全体を回転させ、毛先を円周に回転させ、水分を取り除き、毛筆が重力のもとで下に垂れ、毛先が折れて壊れることを防止し、更に、本設備は毛筆の有無によって作動し設備の誤操作を防止する。
【００２１】
以上の方式により、本分野の技術者は本発明の範囲内に作動モードにより発明に各種の変化をさせることができる。
【図１】
2020179651.tif 000003
【図２】
2020179651.tif 000004
【図３】
2020179651.tif 000005
【図４】
2020179651.tif 000006
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
スタンドを含み、前記スタンドの中には上方に開口した水受け溝が設けられ、前記スタンドの上側端面には前記水受け溝の左端に位置している立ち柱が設けられ、前記立ち柱のもう一端には前記水受け溝の上端に位置している六角盤が固定的に連結され、前記六角盤の下側端面には連結装置が設けられ、前記水受け溝の上端には前記連結装置の下端に位置している振り箱が設けられ、前記振り箱の上側端面には中心対称している六つの下玉軸受が設けられ、且つ前記連結装置とスライドできるように連結され、前記振り箱の中には伝動チャンバが設けられ、前記伝動チャンバの中には重力変化により回転する装置が設けられ、前記伝動チャンバの内壁には環状の回転溝が連通するように設けられ、前記回転溝の中には接合装置が設けられ、前記振り箱の下端にはキャッチ箱が設けられ、前記キャッチ箱の中には下方に開口した挟みチャンバが設けられ、前記挟みチャンバの中には前記接合装置を制御する挟み装置が設けられ、
毛筆が前記挟み装置により設備に固定された時、毛筆の重さにより前記挟み装置を下に移動連動させ、これにより前記接合装置を回転させ、これにより前記重力変化により回転する装置が作動できて前記連結装置の連結により回転し、毛筆を回転させ、毛筆が乾燥になるまで水を前記水受け溝の中に振ることを特徴とする保護機能を持つ筆掛け。
【請求項２】
前記連結装置は前記六角盤の下側端面に固定的に連結された中心対称している六つの上玉軸受を含み、前記上玉軸受にはボールがスライドできるように連結され、前記ボールには液圧ロッドが固定的に連結され、前記液圧ロッドには下方に開口した液圧チャンバが設けられ、前記液圧チャンバの中にはスライドロッドがスライドできるように連結され、前記スライドロッドの下端には前記下玉軸受とスライドできるように連結された円球が設けられ、
前記スライドロッドが前記液圧チャンバの中でスライドすることができ、且つ液圧の作用により復帰することができ、設備の運動要求を満足することを特徴とする請求項１に記載の保護機能を持つ筆掛け。
【請求項３】
前記接合装置は前記回転溝と回転できるように連結され、且つ中心対称している四つの固定軸を含み、前記固定軸には支持板が設けられ、前記支持板のうち反時計回り側と前記回転溝の内壁との間には復帰バネが連結され、前記支持板にはスライド溝が設けられ、前記スライド溝には扇形板がスライドできるように連結され、前記扇形板と前記支持板との間には伸びバネが連結され、前記扇形板には開口溝が設けられ、前記開口溝には回転板がスライドできるように連結され、前記回転板と前記扇形板との間には引っ張りバネが連結され、前記伝動チャンバの底端内壁には昇降台が設けられ、前記昇降台の上端には重力ボールが設けられ、前記昇降台には中心対称している四つの凹溝が設けられ、前記凹溝の中には前記回転板と固定的に連結された回転軸が回転できるように連結され、左右両側の前記固定軸には前記支持板の時計回り側に位置している鎖歯車が設けられ、前記鎖歯車には前記キャッチ箱と固定的に連結されたチェーンが設けられ、
前記キャッチ箱が毛筆を掛けた後、前記支持板と、前記扇形板と、前記昇降台との間には同じ高さの平面が形成され、また四つの前記扇形板の間には完全な環状板を形成され、前記重力ボールを回しロッドと当接するまで上昇させることを特徴とする請求項１に記載の保護機能を持つ筆掛け。
【請求項４】
前記重力変化により回転する装置は前記伝動チャンバの頂端内壁の中に設けられたモーターを含み、前記モーターの下端には伝動軸が動力が伝達できるように連結され、前記伝動軸の下端末端には回転盤が設けられ、前記回転盤の下端には前記回しロッドが設けられ、前記モーターを始動させ、前記伝動軸により前記回転盤を回転させ、前記回しロッドを回転連動させ、遠心力により、前記重力ボールを回しサイドに移動させ、重量の変化を生むことを特徴とする請求項３に記載の保護機能を持つ筆掛け。
【請求項５】
前記挟み装置は前記挟みチャンバの頂端内壁と回転できるように連結された駆動軸を含み、前記駆動軸には前記挟みチャンバの外側まで伸びている回しボタンが設けられ、前記回しボタンの上端と前記挟みチャンバの頂端内壁との間にはトーションバネが連結され、前記挟みチャンバには前記回しボタンの下側に位置している連結ロッドが回転できるように連結され、且つ前記連結ロッドが前記挟みチャンバの内壁と固定的に連結され、前記駆動軸には前記連結ロッドの下端に位置しているカムが設けられ、前記挟みチャンバの内壁には前記カムと当接しており、且つ左右に対称する当接爪がスライドできるように連結され、前記当接爪と前記挟みチャンバとの間には抵抗バネが連結され、
毛筆が前記挟みチャンバの中に挿入され、前記回しボタンを九十度に回し、前記駆動軸により前記カムを回転させ、前記カムの直径の長さの変化により、前記当接爪を前記抵抗バネの弾性復帰のもとで移動させ、筆軸をきつく挟むことを特徴とする請求項１に記載の保護機能を持つ筆掛け。
【手続補正２】
【補正対象書類名】明細書
【補正対象項目名】全文
【補正方法】変更
【補正の内容】
【発明の詳細な説明】
【技術分野】
【０００１】
本発明は文房具用品分野を取り上げて、具体的には保護機能を持つ筆掛けである。
【背景技術】
【０００２】
毛筆を使用した後、次回の使用に影響させないために水分を取り除く必要があり、伝統的な処理方法は手動で振った後に筆キャップをかぶせることであり、この方法は毛先が割れる現象を起こし、毛筆の使用寿命に影響する。また、ほとんどの筆掛けがロッド型フックであり、毛筆を処理する機能を持っていなく、本発明の装置は上記の問題を解決できる。
【先行技術文献】
【特許文献】
【０００３】
【特許文献１】中国特許出願公開第１０７３６４２６５号明細書
【発明の概要】
【発明が解決しようとする課題】
【０００４】
本発明の目的は保護機能を持つ筆掛けを提供し、それは上記の現在の技術中の問題を解決できる。
【課題を解決するための手段】
【０００５】
本発明の保護機能を持つ筆掛けは、スタンドを含み、前記スタンドの中には上方に開口した水受け溝が設けられ、前記スタンドの上側端面には前記水受け溝の左端に位置している立ち柱が設けられ、前記立ち柱のもう一端には前記水受け溝の上端に位置している六角盤が固定的に連結され、前記六角盤の下側端面には連結装置が設けられ、前記水受け溝の上端には前記連結装置の下端に位置している振り箱が設けられ、前記振り箱の上側端面には中心対称している六つの下玉軸受が設けられ、且つ前記連結装置とスライドできるように連結され、前記振り箱の中には伝動チャンバが設けられ、前記伝動チャンバの中には重力変化により回転する装置が設けられ、前記伝動チャンバの内壁には環状の回転溝が連通するように設けられ、前記回転溝の中には接合装置が設けられ、前記振り箱の下端にはキャッチ箱が設けられ、前記キャッチ箱の中には下方に開口した挟みチャンバが設けられ、前記挟みチャンバの中には前記接合装置を制御する挟み装置が設けられ、
毛筆が前記挟み装置により設備に固定された時、毛筆の重さにより前記挟み装置を下に移動連動させ、これにより前記接合装置を回転させ、これにより前記重力変化により回転する装置が作動できて前記連結装置の連結により回転し、毛筆を回転させ、毛筆が乾燥になるまで水を前記水受け溝の中に振る。
【０００６】
優選の技術プランとして、前記連結装置は前記六角盤の下側端面に固定的に連結された中心対称している六つの上玉軸受を含み、前記上玉軸受にはボールがスライドできるように連結され、前記ボールには液圧ロッドが固定的に連結され、前記液圧ロッドには下方に開口した液圧チャンバが設けられ、前記液圧チャンバの中にはスライドロッドがスライドできるように連結され、前記スライドロッドの下端には前記下玉軸受とスライドできるように連結された円球が設けられ、
前記スライドロッドが前記液圧チャンバの中でスライドすることができ、且つ液圧の作用により復帰することができ、設備の運動要求を満足する。
【０００７】
優選の技術プランとして、前記接合装置は前記回転溝と回転できるように連結され、且つ中心対称している四つの固定軸を含み、前記固定軸には支持板が設けられ、前記支持板のうち反時計回り側と前記回転溝の内壁との間には復帰バネが連結され、前記支持板にはスライド溝が設けられ、前記スライド溝には扇形板がスライドできるように連結され、前記扇形板と前記支持板との間には伸びバネが連結され、前記扇形板には開口溝が設けられ、前記開口溝には回転板がスライドできるように連結され、前記回転板と前記扇形板との間には引っ張りバネが連結され、前記伝動チャンバの底端内壁には昇降台が設けられ、前記昇降台の上端には重力ボールが設けられ、前記昇降台には中心対称している四つの凹溝が設けられ、前記凹溝の中には前記回転板と固定的に連結された回転軸が回転できるように連結され、左右両側の前記固定軸には前記支持板の時計回り側に位置している鎖歯車が設けられ、前記鎖歯車には前記キャッチ箱と固定的に連結されたチェーンが設けられ、
前記キャッチ箱が毛筆を掛けた後、前記支持板と、前記扇形板と、前記昇降台との間には同じ高さの平面が形成され、また四つの前記扇形板の間には完全な環状板を形成され、前記重力ボールを回しロッドと当接するまで上昇させる。
【０００８】
優選の技術プランとして、前記重力変化により回転する装置は前記伝動チャンバの頂端内壁の中に設けられたモーターを含み、前記モーターの下端には伝動軸が動力が伝達できるように連結され、前記伝動軸の下端末端には回転盤が設けられ、前記回転盤の下端には前記回しロッドが設けられ、
前記モーターを始動させ、前記伝動軸により前記回転盤を回転させ、前記回しロッドを回転連動させ、遠心力により、前記重力ボールを回しサイドに移動させ、重量の変化を生む。
【０００９】
優選の技術プランとして、前記挟み装置は前記挟みチャンバの頂端内壁と回転できるように連結された駆動軸を含み、前記駆動軸には前記挟みチャンバの外側まで伸びている回しボタンが設けられ、前記回しボタンの上端と前記挟みチャンバの頂端内壁との間にはトーションバネが連結され、前記挟みチャンバには前記回しボタンの下側に位置している連結ロッドが回転できるように連結され、且つ前記連結ロッドが前記挟みチャンバの内壁と固定的に連結され、前記駆動軸には前記連結ロッドの下端に位置しているカムが設けられ、前記挟みチャンバの内壁には前記カムと当接しており、且つ左右に対称する当接爪がスライドできるように連結され、前記当接爪と前記挟みチャンバとの間には抵抗バネが連結され、
毛筆が前記挟みチャンバの中に挿入され、前記回しボタンを九十度に回し、前記駆動軸により前記カムを回転させ、前記カムの直径の長さの変化により、前記当接爪を前記抵抗バネの弾性復帰のもとで移動させ、筆軸をきつく挟む。
【発明の効果】
【００１０】
本発明は重力分布の点の回転変化により設備全体を回転させ、毛先を円周に回転させ、水分を取り除き、毛筆が重力のもとで下に垂れ、毛先が折れて壊れることを防止し、更に、本設備は毛筆の有無によって作動し設備の誤操作を防止する。
【図面の簡単な説明】
【００１１】
説明しやすいため、本発明は以下の具体的な実施例と付図を交え詳しく説明する。
【００１２】
【図１】図１は本発明の保護機能を持つ筆掛けの全体構成略図
【図２】図２は図１のＡ−Ａの構成略図
【図３】図３は図１のＢ−Ｂの構成略図
【図４】図４は図１のＣ−Ｃの構成略図
【発明を実施するための形態】
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
本発明の保護機能を持つ筆掛けは、スタンド１１を含み、前記スタンド１１の中には上方に開口した水受け溝１２が設けられ、前記スタンド１１の上側端面には前記水受け溝１２の左端に位置している立ち柱２０が設けられ、前記立ち柱２０のもう一端には前記水受け溝１２の上端に位置している六角盤２５が固定的に連結され、前記六角盤２５の下側端面には連結装置９０１が設けられ、前記水受け溝１２の上端には前記連結装置９０１の下端に位置している振り箱１５が設けられ、前記振り箱１５の上側端面には中心対称している六つの下玉軸受１７が設けられ、且つ前記連結装置９０１とスライドできるように連結され、前記振り箱１５の中には伝動チャンバ２７が設けられ、前記伝動チャンバ２７の中には重力変化により回転する装置９０２が設けられ、前記伝動チャンバ２７の内壁には環状の回転溝４０が連通するように設けられ、前記回転溝４０の中には接合装置９０３が設けられ、前記振り箱１５の下端にはキャッチ箱３１が設けられ、前記キャッチ箱３１の中には下方に開口した挟みチャンバ３９が設けられ、前記挟みチャンバ３９の中には前記接合装置９０３を制御する挟み装置９０４が設けられ、
毛筆が前記挟み装置９０４により設備に固定された時、毛筆の重さにより前記挟み装置９０４を下に移動連動させ、これにより前記接合装置９０３を回転させ、これにより前記重力変化により回転する装置９０２が作動できて前記連結装置９０１の連結により回転し、毛筆を回転させ、毛筆が乾燥になるまで水を前記水受け溝１２の中に振る。
【００１５】
有益的には、前記連結装置９０１は前記六角盤２５の下側端面に固定的に連結された中心対称している六つの上玉軸受２４を含み、前記上玉軸受２４にはボール２３がスライドできるように連結され、前記ボール２３には液圧ロッド２２が固定的に連結され、前記液圧ロッド２２には下方に開口した液圧チャンバ２１が設けられ、前記液圧チャンバ２１の中にはスライドロッド１９がスライドできるように連結され、前記スライドロッド１９の下端には前記下玉軸受１７とスライドできるように連結された円球１８が設けられ、前記スライドロッド１９が前記液圧チャンバ２１の中でスライドすることができ、且つ液圧の作用により復帰することができ、設備の運動要求を満足する。
【００１６】
有益的には、前記接合装置９０３は前記回転溝４０と回転できるように連結され、且つ中心対称している四つの固定軸４８を含み、前記固定軸４８には支持板４５が設けられ、前記支持板４５のうち反時計回り側と前記回転溝４０の内壁との間には復帰バネ４４が連結され、前記支持板４５にはスライド溝４７が設けられ、前記スライド溝４７には扇形板４２がスライドできるように連結され、前記扇形板４２と前記支持板４５との間には伸びバネ４６が連結され、前記扇形板４２には開口溝４３が設けられ、前記開口溝４３には回転板５０がスライドできるように連結され、前記回転板５０と前記扇形板４２との間には引っ張りバネ４９が連結され、前記伝動チャンバ２７の底端内壁には昇降台３０が設けられ、前記昇降台３０の上端には重力ボール２８が設けられ、前記昇降台３０には中心対称している四つの凹溝５２が設けられ、前記凹溝５２の中には前記回転板５０と固定的に連結された回転軸５１が回転できるように連結され、左右両側の前記固定軸４８には前記支持板４５の時計回り側に位置している鎖歯車４１が設けられ、前記鎖歯車４１には前記キャッチ箱３１と固定的に連結されたチェーン２９が設けられ、
前記キャッチ箱３１が毛筆を掛けた後、前記支持板４５と、前記扇形板４２と、前記昇降台３０との間には同じ高さの平面が形成され、また四つの前記扇形板４２の間には完全な環状板を形成され、前記重力ボール２８を回しロッド１３と当接するまで上昇させる。
【００１７】
有益的には、前記重力変化により回転する装置９０２は前記伝動チャンバ２７の頂端内壁の中に設けられたモーター２６を含み、前記モーター２６の下端には伝動軸１６が動力が伝達できるように連結され、前記伝動軸１６の下端末端には回転盤１４が設けられ、前記回転盤１４の下端には前記回しロッド１３が設けられ、
前記モーター２６を始動させ、前記伝動軸１６により前記回転盤１４を回転させ、前記回しロッド１３を回転連動させ、遠心力により、前記重力ボール２８を回しサイドに移動させ、重量の変化を生む。
【００１８】
有益的には、前記挟み装置９０４は前記挟みチャンバ３９の頂端内壁と回転できるように連結された駆動軸３４を含み、前記駆動軸３４には前記挟みチャンバ３９の外側まで伸びている回しボタン３２が設けられ、前記回しボタン３２の上端と前記挟みチャンバ３９の頂端内壁との間にはトーションバネ３８が連結され、前記挟みチャンバ３９には前記回しボタン３２の下側に位置している連結ロッド３３が回転できるように連結され、且つ前記連結ロッド３３が前記挟みチャンバ３９の内壁と固定的に連結され、前記駆動軸３４には前記連結ロッド３３の下端に位置しているカム３５が設けられ、前記挟みチャンバ３９の内壁には前記カム３５と当接しており、且つ左右に対称する当接爪３６がスライドできるように連結され、前記当接爪３６と前記挟みチャンバ３９との間には抵抗バネ３７が連結され、
毛筆が前記挟みチャンバ３９の中に挿入され、前記回しボタン３２を九十度に回し、前記駆動軸３４により前記カム３５を回転させ、前記カム３５の直径の長さの変化により、前記当接爪３６を前記抵抗バネ３７の弾性復帰のもとで移動させ、筆軸をきつく挟む。
【００１９】
使用する時、毛筆を挟みチャンバ３９の中に挿入し、回しボタン３２を九十度に回し、駆動軸３４によりカム３５を回転させ、カム３５の直径の長さの変化により、当接爪３６を抵抗バネ３７の弾性復帰のもとで対称中心の側に移動させ、筆軸をきつく挟み、このとき毛筆の重さにより、キャッチ箱３１を下に移動連動させ、キャッチ箱３１がチェーン２９により左右両側の鎖歯車４１を引き動かして回転させ、また固定軸４８により支持板４５を回転させ、支持板４５が順次に扇形板４２と回転板５０とを上に反転連動させ、且つ扇形板４２と回転板５０とをスライド溝４７と、開口溝４３と、凹溝５２との中にスライドさせ、昇降台３０を引き動かして上に移動させ、重力ボール２８と回しロッド１３とを当接させ、最終的に支持板４５と、扇形板４２と、回転板５０と、昇降台３０との間に同じ高さの平面を形成させ、モーター２６が起動され伝動軸１６により回転盤１４を回転させ、回しロッド１３を回転連動させ、遠心力により、重力ボール２８を回しサイドに移動させ、重量の変化を生み、これにより振り箱１５を円周に回転運動させ、水を水受け溝１２の中に振って集め、乾燥する速度を向上し、また毛先が自然に下に垂れ、毛先が割れる問題を防止する。
【００２０】
本発明の有益効果は：本発明は重力分布の点の回転変化により設備全体を回転させ、毛先を円周に回転させ、水分を取り除き、毛筆が重力のもとで下に垂れ、毛先が折れて壊れることを防止し、更に、本設備は毛筆の有無によって作動し設備の誤操作を防止する。
【００２１】
以上の方式により、本分野の技術者は本発明の範囲内に作動モードにより発明に各種の変化をさせることができる。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
スタンドを含み、前記スタンドの中には上方に開口した水受け溝が設けられ、前記スタンドの上側端面には前記水受け溝の左端に位置している立ち柱が設けられ、前記立ち柱のもう一端には前記水受け溝の上端に位置している六角盤が固定的に連結され、前記六角盤の下側端面には連結装置が設けられ、前記水受け溝の上端には前記連結装置の下端に位置している振り箱が設けられ、前記振り箱の上側端面には中心対称している六つの下玉軸受が設けられ、且つ前記連結装置とスライドできるように連結され、前記振り箱の中には伝動チャンバが設けられ、前記伝動チャンバの中には重力変化により回転する装置が設けられ、前記伝動チャンバの内壁には環状の回転溝が連通するように設けられ、前記回転溝の中には接合装置が設けられ、前記振り箱の下端にはキャッチ箱が設けられ、前記キャッチ箱の中には下方に開口した挟みチャンバが設けられ、前記挟みチャンバの中には前記接合装置を制御する挟み装置が設けられ、
毛筆が前記挟み装置により設備に固定された時、毛筆の重さにより前記挟み装置を下に移動連動させ、これにより前記接合装置を回転させ、これにより前記重力変化により回転する装置が作動できて前記連結装置の連結により回転し、毛筆を回転させ、毛筆が乾燥になるまで水を前記水受け溝の中に振り、
前記連結装置は前記六角盤の下側端面に固定的に連結された中心対称している六つの上玉軸受を含み、前記上玉軸受にはボールがスライドできるように連結され、前記ボールには液圧ロッドが固定的に連結され、前記液圧ロッドには下方に開口した液圧チャンバが設けられ、前記液圧チャンバの中にはスライドロッドがスライドできるように連結され、前記スライドロッドの下端には前記下玉軸受とスライドできるように連結された円球が設けられ、
前記スライドロッドが前記液圧チャンバの中でスライドすることができ、且つ液圧の作用により復帰することができ、設備の運動要求を満足し、
前記接合装置は前記回転溝と回転できるように連結され、且つ中心対称している四つの固定軸を含み、前記固定軸には支持板が設けられ、前記支持板のうち反時計回り側と前記回転溝の内壁との間には復帰バネが連結され、前記支持板にはスライド溝が設けられ、前記スライド溝には扇形板がスライドできるように連結され、前記扇形板と前記支持板との間には伸びバネが連結され、前記扇形板には開口溝が設けられ、前記開口溝には回転板がスライドできるように連結され、前記回転板と前記扇形板との間には引っ張りバネが連結され、前記伝動チャンバの底端内壁には昇降台が設けられ、前記昇降台の上端には重力ボールが設けられ、前記昇降台には中心対称している四つの凹溝が設けられ、前記凹溝の中には前記回転板と固定的に連結された回転軸が回転できるように連結され、左右両側の前記固定軸には前記支持板の時計回り側に位置している鎖歯車が設けられ、前記鎖歯車には前記キャッチ箱と固定的に連結されたチェーンが設けられ、
前記キャッチ箱が毛筆を掛けた後、前記支持板と、前記扇形板と、前記昇降台との間には同じ高さの平面が形成され、また四つの前記扇形板の間には完全な環状板を形成され、前記重力ボールを回しロッドと当接するまで上昇させ、
前記重力変化により回転する装置は前記伝動チャンバの頂端内壁の中に設けられたモーターを含み、前記モーターの下端には伝動軸が動力が伝達できるように連結され、前記伝動軸の下端末端には回転盤が設けられ、前記回転盤の下端には前記回しロッドが設けられ、前記モーターを始動させ、前記伝動軸により前記回転盤を回転させ、前記回しロッドを回転連動させ、遠心力により、前記重力ボールを回しサイドに移動させ、重量の変化を生み、
前記挟み装置は前記挟みチャンバの頂端内壁と回転できるように連結された駆動軸を含み、前記駆動軸には前記挟みチャンバの外側まで伸びている回しボタンが設けられ、前記回しボタンの上端と前記挟みチャンバの頂端内壁との間にはトーションバネが連結され、前記挟みチャンバには前記回しボタンの下側に位置している連結ロッドが回転できるように連結され、且つ前記連結ロッドが前記挟みチャンバの内壁と固定的に連結され、前記駆動軸には前記連結ロッドの下端に位置しているカムが設けられ、前記挟みチャンバの内壁には前記カムと当接しており、且つ左右に対称する当接爪がスライドできるように連結され、前記当接爪と前記挟みチャンバとの間には抵抗バネが連結され、
毛筆が前記挟みチャンバの中に挿入され、前記回しボタンを九十度に回し、前記駆動軸により前記カムを回転させ、前記カムの直径の長さの変化により、前記当接爪を前記抵抗バネの弾性復帰のもとで移動させ、筆軸をきつく挟むことを特徴とする保護機能を持つ筆掛け。